(57)【特許請求の範囲】
【請求項１】
利用者ＩＤに関連付けられた利用者情報中に所定のパーソナル曲目を含む利用者データベースの当該パーソナル曲目に少なくとも他の利用者ＩＤの利用者に対するリクエスト曲を登録するパーソナル曲目登録手段を備え、所定の利用者から他の利用者へのリクエスト曲を報知するリクエスト曲報知機能を備えるカラオケシステムであって、
利用者ＩＤ取得部、被リクエスト曲抽出手段、被リクエスト曲目特定手段を有するものであり、
前記利用者ＩＤ取得部は、利用者より利用者ＩＤを取得し、
前記被リクエスト曲抽出手段は、取得している利用者ＩＤに関連付けられて登録されたリクエスト曲目に、取得している他の利用者ＩＤの利用者に対するものが含まれている場合には、当該リクエストされた利用者の利用者ＩＤに対応する被リクエスト曲目を抽出し、
前記被リクエスト曲目特定手段は、前記抽出された被リクエスト曲目を報知対象である前記リクエストされた利用者の利用者ＩＤに関連付けて表示可能に記憶させる、
ことを特徴とするリクエスト曲報知機能を備えるカラオケシステム。
【請求項２】
請求項１記載のリクエスト曲報知機能を備えるカラオケシステムであって、
前記利用者データベースには、前記利用者情報中のパーソナル曲目に、前記リクエスト曲目とは別に当該利用者の歌唱履歴の楽曲を登録しておき、
前記被リクエスト曲目特定手段は、前記被リクエスト曲抽出手段で抽出された被リクエスト曲目のうち、前記リクエストされた利用者の歌唱履歴に存在する楽曲を特定して報知対象である当該リクエストされた利用者の利用者ＩＤに関連付けて表示可能に記憶させる、
ことを特徴とするリクエスト曲報知機能を備えるカラオケシステム。
【請求項３】
請求項２記載のリクエスト曲報知機能を備えるカラオケシステムであって、
前記歌唱履歴の各楽曲に歌唱採点を含ませておき、
前記被リクエスト曲目特定手段は、前記被リクエスト曲抽出手段で抽出された被リクエスト曲目のうち、前記リクエストされた利用者の歌唱履歴の楽曲の中の、所定の歌唱採点以上の楽曲を特定して報知対象である当該リクエストされた利用者の利用者ＩＤに関連付けて表示可能に記憶させる、
ことを特徴とするリクエスト曲報知機能を備えるカラオケシステム。
【請求項４】
請求項２記載のリクエスト曲報知機能を備えるカラオケシステムであって、
前記歌唱履歴の各楽曲に歌唱度数を含ませておき、
前記被リクエスト曲目特定手段は、前記被リクエスト曲抽出手段で抽出された被リクエスト曲目のうち、前記リクエストされた利用者の歌唱履歴の楽曲の中の、所定の歌唱度数以上の楽曲を特定して報知対象である当該リクエストされた利用者の利用者ＩＤに関連付けて表示可能に記憶させる、
ことを特徴とするリクエスト曲報知機能を備えるカラオケシステム。
【請求項５】
請求項２記載のリクエスト曲報知機能を備えるカラオケシステムであって、
前記歌唱履歴の各楽曲に歌唱採点及び歌唱度数を含ませておき、
前記被リクエスト曲目特定手段は、前記被リクエスト曲抽出手段で抽出された被リクエスト曲目のうち、前記リクエストされた利用者の歌唱履歴の楽曲の中の、所定の歌唱採点以上であり、かつ所定の歌唱度数以上の楽曲を特定して報知対象である当該リクエストされた利用者の利用者ＩＤに関連付けて表示可能に記憶させる、
ことを特徴とするリクエスト曲報知機能を備えるカラオケシステム。
【請求項６】
請求項１記載のリクエスト曲報知機能を備えるカラオケシステムであって、
前記利用者データベースには、前記利用者情報中のパーソナル曲目に、前記リクエスト曲目とは別に、当該利用者が適宜登録する利用者登録曲を登録しておき、
前記被リクエスト曲目特定手段は、前記被リクエスト曲抽出手段で抽出された被リクエスト曲目のうち、前記リクエストされた利用者の利用者登録曲に存在する楽曲を特定して報知対象である当該リクエストされた利用者の利用者ＩＤに関連付けて表示可能に記憶させる、
ことを特徴とするリクエスト曲報知機能を備えるカラオケシステム。
【発明の詳細な説明】
【技術分野】
【０００１】
本発明は、所定の利用者が他の利用者にリクエストする楽曲をリクエストされた利用者に報知するリクエスト曲報知機能を備えるカラオケシステムに関する。
【背景技術】
【０００２】
近年、知人同士でカラオケ歌唱を楽しむのに際して、所定の利用者が他の利用者に特定の楽曲を歌唱してもらいたいと欲する場合も多い。このような場合に、リクエスト曲を口頭で伝えようとしてもカラオケ利用中の大音響の中で正確に伝わらないこともあり、また、直接楽曲を検索しようとしてもリクエスト曲を正確に記憶していない場合には正確にリクエストできないこともある。そのため、歌唱してもらいたい利用者にリクエスト曲を正確かつ容易に報知できることが望まれる。
【０００３】
従来、カラオケシステムにおいて、歌唱対象の楽曲を予め登録しておく技術が以下の特許文献で提案されている。特許文献１は、携帯電話等の利用者情報端末に歌唱対象の楽曲のリストを入力し、カラオケ装置との通信により当該利用者情報端末から曲目リストをアップロードして登録することが提案されている。
【０００４】
また、特許文献２は、デュエット曲を予め登録しておくものとして、利用者ＩＤに紐付けてデュエット曲の楽曲コード毎に合唱相手のＩＤを所定数登録し、合唱相手が当該楽曲を歌唱した場合には録音しておくことで、合唱相手が同席していなくとも当該デュエット曲を合唱相手の録音再生で歌唱できることが提案されている。
【０００５】
【特許文献１】特許第３５８８５９４号公報（特開２００２−２８７７７５号公報）
【特許文献２】特開２００６−２０８９６１号公報
【発明の開示】
【発明が解決しようとする課題】
【０００６】
しかしながら、上記特許文献１、２を歌唱してもらいたい利用者にリクエスト曲を報知する場合に適用しても、上記特許文献１で提案されているものは登録した本人が歌唱するものであるから、歌唱してもらいたい利用者がリクエスト曲を歌唱できない場合もあり、また、リクエストされた利用者がリクエストされているかどうかを知ることができず、結局口頭で伝えるか、リクエストする利用者に対して楽曲検索により指定せざるを得ない。
【０００７】
また、上記特許文献２においても、対応楽曲について合唱相手が予め録音しておくことを前提としていることから、合唱相手は歌唱経験があるものの、自分が合唱相手とされているか、リクエストされているかどうかを知ることができず、結局口頭で伝えるか、リクエストする利用者に対して楽曲検索により指定せざるを得ない。
【０００８】
すなわち、何れの特許文献においても、クエスト曲を口頭で伝えようとしてもカラオケ利用中の大音響の中で正確に伝わらないこともあり、また、直接楽曲を検索しようとしてもリクエスト曲を正確に記憶していない場合には正確にリクエストできないこともあるという問題がある。
【０００９】
そこで、本発明は上記課題に鑑みなされたもので、他の利用者に対して歌唱してもらいたい楽曲をリクエスト曲として正確かつ容易に報知可能なリクエスト曲報知機能を備えるカラオケシステムを提供することを目的とする。
【課題を解決するための手段】
【００１０】
上記課題を解決するために、請求項１の発明では、利用者ＩＤに関連付けられた利用者情報中に所定のパーソナル曲目を含む利用者データベースの当該パーソナル曲目に少なくとも他の利用者ＩＤの利用者に対するリクエスト曲を登録するパーソナル曲目登録手段を備え、所定の利用者から他の利用者へのリクエスト曲を報知するリクエスト曲報知機能を備えるカラオケシステムであって、利用者ＩＤ取得部、被リクエスト曲抽出手段、被リクエスト曲目特定手段を有するものであり、前記利用者ＩＤ取得部は、利用者より利用者ＩＤを取得し、前記被リクエスト曲抽出手段は、取得している利用者ＩＤに関連付けられて登録されたリクエスト曲目に、取得している他の利用者ＩＤの利用者に対するものが含まれている場合には、当該リクエストされた利用者の利用者ＩＤに対応する被リクエスト曲目を抽出し、前記被リクエスト曲目特定手段は、前記抽出された被リクエスト曲目を報知対象である前記リクエストされた利用者の利用者ＩＤに関連付けて表示可能に記憶させる、構成とする。
【００１１】
請求項２〜６の発明では「前記利用者データベースには、前記利用者情報中のパーソナル曲目に、前記リクエスト曲目とは別に当該利用者の歌唱履歴の楽曲を登録しておき、前記被リクエスト曲目特定手段は、前記被リクエスト曲抽出手段で抽出された被リクエスト曲目のうち、前記リクエストされた利用者の歌唱履歴に存在する楽曲を特定して報知対象である当該リクエストされた利用者の利用者ＩＤに関連付けて表示可能に記憶させる」構成であり、
「前記歌唱履歴の各楽曲に歌唱採点を含ませておき、前記被リクエスト曲目特定手段は、前記被リクエスト曲抽出手段で抽出された被リクエスト曲目のうち、前記リクエストされた利用者の歌唱履歴の楽曲の中の、所定の歌唱採点以上の楽曲を特定して報知対象である当該リクエストされた利用者の利用者ＩＤに関連付けて表示可能に記憶させる」構成であり、
「前記歌唱履歴の各楽曲に歌唱度数を含ませておき、前記被リクエスト曲目特定手段は、前記被リクエスト曲抽出手段で抽出された被リクエスト曲目のうち、前記リクエストされた利用者の歌唱履歴の楽曲の中の、所定の歌唱度数以上の楽曲を特定して報知対象である当該リクエストされた利用者の利用者ＩＤに関連付けて表示可能に記憶させる」構成であり、
「前記歌唱履歴の各楽曲に歌唱採点及び歌唱度数を含ませておき、前記被リクエスト曲目特定手段は、前記被リクエスト曲抽出手段で抽出された被リクエスト曲目のうち、前記リクエストされた利用者の歌唱履歴の楽曲の中の、所定の歌唱採点以上であり、かつ所定の歌唱度数以上の楽曲を特定して報知対象である当該リクエストされた利用者の利用者ＩＤに関連付けて表示可能に記憶させる」構成であり、
「前記利用者データベースには、前記利用者情報中のパーソナル曲目に、前記リクエスト曲目とは別に、当該利用者が適宜登録する利用者登録曲を登録しておき、前記被リクエスト曲目特定手段は、前記被リクエスト曲抽出手段で抽出された被リクエスト曲目のうち、前記リクエストされた利用者の利用者登録曲に存在する楽曲を特定して報知対象である当該リクエストされた利用者の利用者ＩＤに関連付けて表示可能に記憶させる」構成である。
【発明の効果】
【００１２】
本発明によれば、利用者データベースに、利用者ＩＤに関連付けられた利用者情報中のパーソナル曲目に少なくとも他の利用者に対するリクエスト曲を登録しておき、利用者より取得した利用者ＩＤに関連付けられて登録された他の利用者に対するリクエスト曲目の中に、既に取得された利用者ＩＤの利用者に対するものが含まれている場合には、当該リクエストされた利用者の利用者ＩＤに対応する被リクエスト曲目を抽出して報知対象であるリクエストされた利用者の利用者ＩＤに関連付けて表示可能に記憶させる構成とすることにより、他の利用者に対して歌唱してもらいたい楽曲をリクエスト曲として正確かつ容易に報知させることができるものである。
【発明を実施するための最良の形態】
【００１３】
以下、本発明の最良の実施形態を図により説明する。
図１に本発明に係るカラオケシステムの系統構成図を示すと共に、図２に図１のホスト装置の利用者ＤＢに登録されている利用者情報の概念説明図を示す。図１（Ａ）は通信ネットワークを使用して本システムを構成させた場合のネットワーク模式図、図１（Ｂ）はホスト装置の概要ブロック構成図である。図１（Ａ）において、ホスト装置１１はカラオケシステムの一部を構成するものとして、通信ネットワーク１２を介して所定数のカラオケ演奏端末１３（１３Ａ〜１３Ｎ）を管理するものであり、相互にデータ授受自在に接続されたものである。上記通信ネットワーク１２としては、例えば、一般公衆電話回線やこれを用いたＡＤＳＬや光通信回線或いはインターネット、さらにはＬＡＮがあるが、インターネット上に構築されるＶＰＮが好ましい。
【００１４】
ホスト装置１１は、図１（Ｂ）に示すように、少なくとも送受信手段２１、制御手段２２、ＲＡＭ２３、被リクエスト曲抽出手段２４及び利用者データベース（ＤＢ）２５を備える。上記送受信手段２１は、各カラオケ演奏端末１３（１３Ａ〜１３Ｎ）との通信（データ授受）を行うために、通信ネットワーク１２の通信方式と整合性をとるための例えば物理的な通信用回路やプラットフォーム等のソフトウエアにより構成される。
【００１５】
上記制御手段２２は、当該ホスト装置１１を統括的に制御するもので、例えば物理的なＣＰＵであり、図示しないＲＯＭに格納されているプログラムのアルゴリズム処理を行う。ここでは、所定のカラオケ演奏端末１３より利用者ＩＤに基づいて利用者情報を要求されたときに、カラオケ演奏端末１３の端末ＩＤ及び利用者ＩＤを一旦ＲＡＭ２３に記憶し、利用者ＤＢ２５より当該利用者ＩＤに関連付けられた利用者情報（図２で説明する。）を抽出して当該カラオケ演奏端末１３に送出する。上記ＲＡＭ２３は、所定情報の一時記憶及び種々のプログラムを展開、実行させるための作業領域としての役割をなすもので、例えば半導体メモリで構成され、仮想的にハードディスク上に構築される場合をも含む概念である。
【００１６】
上記被リクエスト曲抽出手段２４は、上記制御手段２１により利用者ＩＤに関連付けられて他の利用者に対するリクエスト曲目に、既に取得された他の利用者ＩＤの利用者に対するものが含まれている場合には、当該リクエストされた利用者の利用者ＩＤに対応する被リクエスト曲目を抽出するプログラムである（後述する）。なお、当該被リクエスト曲抽出手段２４をカラオケ演奏端末３１に備えることとしてもよく、この場合には、利用者ＤＢ２５より取得した利用者ＩＤ毎の利用者情報より、対応の被リクエスト曲目を抽出すれば足りる。
【００１７】
上記利用者ＤＢ２５は、利用者ＩＤで管理される利用者毎に所定の情報が登録されたデータベースであり、例えば図２（Ａ）に示すように、利用者ＩＤに関連付けて、少なくともニックネーム、登録者の顔写真等のイメージファイル名が関連付けられると共に、当該利用者が登録し、また歌唱した楽曲に関するパーソナル曲目ファイルが関連付けられる。当該利用者ＩＤ別の各イメージデータや各パーソナル曲目ファイルは当該利用者ＤＢ２５中に格納されているものである。
【００１８】
上記パーソナル曲目ファイルは、図２（Ｂ）に示すように、利用者登録曲目、歌唱履歴曲目及び他の利用者（利用者ＩＤ）に対するリクエスト曲目の各ファイルが関連付けられたものである。利用者登録曲目は利用者が適宜登録する楽曲である。歌唱履歴曲目は当該利用者が歌唱した楽曲毎に自動的に記憶される。その際、楽曲ＩＤに歌唱採点（例えば、最新の点数若しくは過去最高点）及び歌唱した回数（歌唱度数）が関連付けられる。当該歌唱度数は、所定期間内で歌唱した回数を示す歌唱頻度を含む概念である。また、他の利用者に対するリクエスト曲目は、他の利用者（自動的な利用者ＩＤの特定）に対して楽曲（自動的な楽曲ＩＤの特定）を、後述のカラオケ演奏端末における遠隔入出力端末のパーソナル曲目登録手段により、例えば楽曲検索手段を用いて指定したものである。
【００１９】
続いて、図３に、本発明のカラオケシステムに係るカラオケ演奏端末のブロック構成図を示す。図３に示すカラオケ演奏端末１３は、主要装置としてのカラオケ演奏装置３１に有線又は無線で外部接続されるものとして、表示部３２、ミキシングアンプ３３、マイク３４、スピーカ３５を備える。また、有線又は無線で遠隔入出力端末３６が接続され、当該遠隔入出力端末３６は、主要構成の他に楽曲検索手段３７、パーソナル曲目登録手段３８Ａ、選曲手段３８Ｂ、利用者ＩＤ取得部３９及び端末表示部４０を備える。
【００２０】
上記表示部３２は、通常の楽曲選曲表示やカラオケ演奏時の映像、歌詞テロップを表示するもので、例えば液晶ディスプレイ（ＬＣＤ）、プラズマディスプレイ（ＰＤＰ）、その他種々のディスプレイを採用することができる。上記ミキシングアンプ３３は、カラオケ演奏装置３１より送られてくる演奏データとマイク３４からの音声信号をミキシングし、増幅してスピーカ３５より出力する。
【００２１】
上記遠隔入出力端末３６は、ユーザインタフェース機能を備えて対応のカラオケ演奏装置３１（後述の送受信部５２Ａ）に対して有線方式ないし無線方式（ＩＲ方式やブルートゥース（登録商標）機構のピコネット接続方式など）を利用してデータ授受を行うためのもので、そのための回路基板及びプログラムを備える。上記ユーザインタフェース機能としては、端末表示部４０としての液晶ディスプレイ（ＬＣＤ）とタッチセンサとを積層して入出力用とし、表示されるアイコン等に対応して当該タッチセンサにより楽曲の選択などのデータを入力することができるＧＵＩである。
【００２２】
また、遠隔入出力端末３６の備える楽曲検索手段３７は、上記ユーザインタフェース機能により利用者に楽曲を検索させるプログラムである。さらに、遠隔入出力端末３６の備えるパーソナル曲目登録手段３８Ａは、所定の利用者が、自己の利用者ＩＤに関連付けて利用者登録曲目を登録させ、他の利用者に対するリクエスト曲を指定して登録させるためのプログラムであり、上記楽曲検索手段３７と連携される（図６で説明する）。また、選曲手段３８Ｂは、楽曲検索手段３７で検索された楽曲を選曲し、また、端末表示部４０で表示された自己の利用者ＩＤに関連付けられた利用者登録曲、及び、他の利用者からリクエストされたリクエスト曲を選曲するためのプログラムである。さらに、遠隔入出力端末３６の備える利用者ＩＤ取得部３９は、利用者のログイン要求で所持するＩＣカード等が提示された時に、当該ＩＣカード等から利用者ＩＤを取得して、図示しないＲＡＭに記憶させ、またカラオケ演奏装置３１に送出する。なお、利用者ＩＤ取得部３９を、カラオケ演奏装置３１に備えさせてもよい。
【００２３】
上記カラオケ演奏装置３１は、バス４１、中央制御部４２、ＲＯＭ４３、ＲＡＭ４４、楽曲ＤＢ４５、映像ＤＢ４６、再生制御部４７、音楽曲出力部４８、Ａ／Ｄ変換部４９Ａ、採点処理手段４９、利用者情報取得手段５０、当該利用者情報取得手段５０の備える被リクエスト曲目特定手段５１、送受信部５２Ａ，５２Ｂ及び演奏ログ処理手段５３を適宜備える。また、ＲＡＭ４４には、所定の利用者ＩＤに関連付けられた他の利用者からの被リクエスト曲目５４Ａを含む利用者別情報記憶部５４、予約待ち行列５５及び演奏ログ記憶部５６の領域が形成される。なお、上記各構成について、本発明の要旨と直接関連しない要素部分であっても、従前のカラオケ装置においても大部分が適用可能であることを示すために、装置全体を説明する。
【００２４】
中央制御部４２は、このシステムを統括的に処理制御する物理的なＣＰＵであり、ＲＯＭ４３に記憶されているプログラムに基づくアルゴリズム処理を行う。上記ＲＡＭ４４は、後述する利用者別情報記憶部５４、予約待ち行列５５及び演奏ログ記憶部５６の領域が形成される他に、上記種々のプログラムを展開、実行させるための作業領域としての役割をなすもので、例えば半導体メモリで構成され、仮想的にハードディスク上に構築される場合をも含む概念である。
【００２５】
上記楽曲ＤＢ４５は、楽曲ＩＤ、曲名及びアーチスト名が関連付けられた楽曲テーブルを有し、楽曲ＩＤで管理される所定データ形式のカラオケ楽曲の演奏データ（ＭＩＤＩデータ）及び歌詞テロップデータが同期されて構成される楽曲データ（ファイル）について楽曲コードをファイル名としてそれぞれ格納したデータベースであり、映像ＤＢ４６に格納された当該楽曲毎の背景映像を表示するための所定数のシーン映像を割り当てる割当データが関連付けられる。当該映像ＤＢ４６は、背景映像表示のための所定数のシーン映像データを所定数格納するデータベースである。なお、この楽曲ＤＢ４５及び映像ＤＢ４６を、カラオケ演奏装置３１ではなく、上記ホスト装置１１に備えさせることとしてもよい。
【００２６】
上記再生制御部４７は、演奏時に、映像ＤＢ４６より抽出された所定数のシーン映像データ及び楽曲コードで楽曲ＤＢ４５より抽出された歌詞テロップデータ（歌詞文字データ）を当該楽曲の演奏データに同期させて表示部３２に出力する電子回路である。上記音楽曲出力部４８は、楽曲コードで楽曲ＤＢ４５より抽出された演奏データをデジタル再生し、アナログ変換してミキシングアンプ３３に出力する電子回路である。
【００２７】
上記採点処理手段４９は、任意の楽曲を歌唱した際の前記入力した歌唱音声に基づき、当該楽曲における所定の歌唱区間の歌唱による歌唱採点を算出するプログラムである。ここで、歌唱区間とは、１フレーズ単位、数フレーズ単位若しくは歌詞１文字を含む所定歌詞文字数毎をいい、任意に設定することができる。例えば採点テーブルを備え、選択された楽曲元データに基づいて音楽曲出力部４８でデジタル再生された楽曲の主旋律のピッチ基準条件と、マイク３４より入力されてくる歌唱データをＡ／Ｄ変換部４９Ａでデジタル変換したデジタル歌唱データから抽出した歌唱ピッチとを上記採点テーブルを参照して比較し、これを例えば１小節ごとの区間毎の比較した結果の得点として例えば平均することにより採点結果とするものである。
【００２８】
上記利用者情報取得手段５０は、遠隔入出力端末３６より送信されてきた利用者ＩＤに基づき後述の送受信部５２Ｂ、通信ネットワーク１２を介してホスト装置１１の利用者ＤＢ２５より利用者情報を取得し、当該利用者ＩＤに関連付けて後述のＲＡＭ４４の利用者別情報記憶部５４に記憶させるプログラムである。利用者情報とは、例えば図２で示すニックネーム、イメージ（顔写真等）、パーソナル曲目ファイルの利用者情報に、他の利用者よりリクエストされ、上記被リクエスト曲目特定手段５１が特定した被リクエスト曲目を附帯させたものである。なお、利用者別情報記憶部５４に記憶させる情報を、遠隔入出力端末３６の図示しないＲＡＭにも記憶させることとしてもよい。
【００２９】
上記被リクエスト曲目特定手段５１は、上記ホスト装置１１より被リクエスト曲抽出手段２４が抽出して送出してきた利用者ＩＤに関連付けられた被リクエスト曲目を、ＲＡＭ４４における利用者別情報記憶部５４の被リクエスト曲目５４Ａに報知対象である対応利用者に対して表示可能に記憶させるプログラムである（図８等で説明する）。なお、被リクエスト曲目特定手段５１は、図１２〜図１５で示すように、ホスト装置１１より送出されてきた被リクエスト曲目のうち、所定の条件における曲目を特定し、ＲＡＭ４４における利用者別情報記憶部５４の被リクエスト曲目５４Ａに表示可能に記憶させるプログラムをも備える。
【００３０】
上記送受信部５２Ａは、遠隔入出力端末３６との間で有線方式ないし無線方式（ＩＲ方式やブルートゥース機構のピコネット接続方式など）を利用してデータ授受を行うためのもので、そのための電子回路及びプログラムである。上記送受信部５２Ｂは、上記ホスト装置１１と上記通信ネットワーク１２を介してデータ授受を行うためのもので、通信方式と整合性をとるための例えば物理的な通信用回路やプラットフォーム等のソフトウエアにより構成されるものである。
【００３１】
上記演奏ログ処理手段５３は、利用者（利用者ＩＤ）がこのカラオケ演奏装置３１で歌唱した楽曲ＩＤ、歌唱採点をＲＡＭ４４の演奏ログ記憶部５６に一旦記憶しておき、例えばその都度、若しくは当該利用者のログアウト時、若しくは所定期間毎（１日単位等）に利用者別情報記憶部５４に記憶した対応の利用者ＩＤの歌唱履歴（歌唱度数のカウントを含む）を更新してホスト装置１１に送出し、当該利用者ＤＢ２５の内容を更新させるためのプログラムである。なお、上記演奏ログ記憶部５６に記憶させる演奏ログを、遠隔入出力端末３６の図示しないＲＡＭにも記憶させることとしてもよい。
【００３２】
なお、ＲＡＭ４４に形成される予約待ち行列５５は、中央制御部４２が利用者により選曲された楽曲ＩＤを予約順に記憶させていくデータであり、当該楽曲がリクエストされた楽曲からの選曲である場合には、そのリクエストした利用者の情報を附帯させて記憶されるものである（図１１で説明する）。
【００３３】
また、図示しないが、当該カラオケ演奏装置３１には、利用者による選択した楽曲の楽曲コードを直接入力するためのものや、演奏楽曲のテンポや、歌唱音声に対する種々の調節を行うボタンやツマミ類が可変抵抗器等の電子素子に直結された操作パネルも接続される。ところで、カラオケ演奏端末１３をスタンドアローンのカラオケシステムとして適用させる場合には上記被リクエスト曲抽出手段２４や利用者ＤＢ２５を備えさせる構成とすることにより実現することができるものである。
【００３４】
ここで、図４及び図５に図３のカラオケ演奏端末における利用者情報の表示形態の説明図を示すと共に、図６に図３のカラオケ演奏端末におけるリクエスト曲登録の説明図を示す。上記利用者情報取得手段５０及び被リクエスト曲目特定手段５１により利用者ＩＤに関連付けられてＲＡＭ４４の利用者別情報記憶部５４に記憶された利用者情報は、利用者の操作によって図４及び図５に示すように、自己のパーソナル曲目リストを遠隔入出力端末３６の端末表示部４０に表示させることができる。
【００３５】
例えば、図４（Ａ）に示すように、タブ形式で「持ち歌」（ここでは、利用者登録曲を持ち歌と称する）、「歌唱履歴」、「リクエストした曲」、「リクエストされた曲」として表示され、「持ち歌」タブでは自己が設定して登録された楽曲ＩＤから例えば楽曲ＤＢ４５の楽曲テーブルを参照してその曲名、アーチスト名が取得され、当該曲名、アーチスト名及び楽曲ＩＤを表示させるもので、当該表示上で削除、追加、選曲が可能とされる。
【００３６】
また、「歌唱履歴」タブでは、図４（Ｂ）に示すように、自己の今まで歌唱した楽曲の曲名、楽曲ＩＤ、採点（最新の点数若しくは今までの最高点）及び歌唱度数（所定期間で算出した頻度でもよい）が表示され、当該表示上で選曲可能とされる。さらに、他の利用者に対するリクエストした「リクエストした曲」タブでは、図５に示すように、自己が指定したリクエスト対象者ＩＤ（イメージ、ニックネーム）と曲名、アーチスト名及び楽曲ＩＤが表示され、当該表示上で削除、追加が可能とされる。なお、「リクエストされた曲」タブの内容は、図１１で説明する。
【００３７】
一方、図５においてリクエストを追加する場合、パーソナル曲目登録手段３８Ａにより、図６に示すように、リクエスト対象者を、例えば利用者ＩＤに関連付けられたイメージ（顔写真）で特定し、リクエスト曲を例えば楽曲検索手段３７と連携して選曲し、追加操作を行うことで、図５に示すリクエスト曲をその対象者欄に追加することができるものである。
【００３８】
そこで、図７に本発明におけるリクエスト報知曲の特定処理フローチャートを示すと共に、図８及び図９に図７におけるリクエスト報知曲の特定処理説明図を示し、図１０に図３のカラオケ演奏端末における利用者情報のリクエストされた被リクエスト曲目の表示形態の説明図を示し、また、図１１に図３のカラオケ演奏端末における予約待ち行列の概念説明図を示す。ここでは、利用者「Ａ」と利用者「Ｂ」とがカラオケ演奏端末３１にログインした場合を一例として示すが、さらに利用者「Ｃ」、利用者「Ｄ」等が一連でログインした場合も同様の処理が行われるものである。
【００３９】
図７において、まず、利用者「Ａ」がカラオケ演奏端末１３に対して、例えば遠隔入出力端末３６の利用者ＩＤ取得部３９よりのログイン要求で所持するＩＣカード等が提示された時に、当該利用者ＩＤ取得部３９が当該ＩＣカード等から利用者ＩＤ（＊＊＊＊＊＊＊Ａ）を取得して図示しないＲＡＭに記憶すると共に、カラオケ演奏装置３１に送信することにより、当該カラオケ演奏端末３１で取得されて利用者別情報記憶部５４に記憶される。（ステップ（Ｓ）１３−１）。
【００４０】
カラオケ演奏装置３１では、利用者情報取得手段５０が、取得した利用者ＩＤに基づいて、送受信部５２Ｂから通信ネットワーク１２を介してホスト装置１１に対してカラオケ端末ＩＤでアクセスし、該利用者の関連情報を要求する（Ｓ１３−２）。ホスト装置１１の制御手段２２では、当該カラオケ演奏装置３１より取得した利用者ＩＤをＲＡＭ２３にカラオケ端末ＩＤに関連付けて一旦記憶しておき、当該利用者ＩＤに基づき利用者ＤＢ２５より図２（Ａ）、（Ｂ）に示す該当の利用者情報を取得して当該カラオケ演奏端末３１に送信する（Ｓ１１−１）。
【００４１】
カラオケ演奏装置３１の利用者情報取得手段５０では、ホスト装置１１より送られてきた当該利用者ＩＤ（＊＊＊＊＊＊＊Ａ）の利用者情報をＲＡＭ４４の利用者別情報記憶部５４に記憶する（Ｓ１３−３）。例えば、図２（Ａ）、（Ｂ）のうちの利用者ＩＤ、ニックネーム、イメージ（顔写真）、利用者登録曲目、歌唱履歴曲目及びリクエスト曲目が記憶される。
【００４２】
続いて、カラオケ演奏装置３１において、利用者「Ｂ」がカラオケ演奏端末１３に対して、同様に遠隔入出力端末３６の利用者ＩＤ取得部３９よりのログイン要求で所持するＩＣカード等が提示された時に、当該利用者ＩＤ取得部３９が当該ＩＣカード等から利用者ＩＤ（＊＊＊＊＊＊＊Ｂ）を取得して図示しないＲＡＭに記憶すると共に、カラオケ演奏装置３１に送信することにより、当該カラオケ演奏端末３１で取得されて利用者別情報記憶部５４に記憶される（Ｓ１３−４）。カラオケ演奏装置３１では、利用者情報取得手段５０が、取得した利用者ＩＤ「Ｂ」に基づいて、送受信部５２Ｂから通信ネットワーク１２を介してホスト装置１１に対してカラオケ端末ＩＤでアクセスし、当該利用者の関連情報を要求する（Ｓ１３−５）。
【００４３】
ホスト装置１１の制御手段２２では、当該カラオケ演奏装置３１より取得した利用者ＩＤ「Ｂ」をＲＡＭ２３にカラオケ端末ＩＤに関連付けて一旦記憶すると共に、当該利用者ＩＤ「Ｂ」に基づき利用者ＤＢ２５より図２（Ａ）、（Ｂ）に示す該当の利用者情報を取得してカラオケ演奏端末３１に送信する（Ｓ１１−２）。カラオケ演奏装置３１の利用者情報取得手段５０では、ホスト装置１１より送られてきた当該利用者ＩＤ（＊＊＊＊＊＊＊Ｂ）の利用者情報をＲＡＭ４４の利用者別情報記憶部５４に記憶する（Ｓ１３−６）。
【００４４】
ホスト装置１１では、被リクエスト曲抽出手段２４が利用者ＩＤ（＊＊＊＊＊＊＊Ｂ）の利用者情報中のパーソナル曲目ファイルにおけるリクエストする曲目に、既に取得された他の利用者ＩＤ（ここでは、利用者「Ａ」）の利用者に対するものがあれば、図８（Ａ）に示すように、利用者「Ａ」に対する利用者「Ｂ」からの被リクエスト曲を抽出し、利用者ＩＤ「Ａ」に関連付けて当該被リクエスト曲目をカラオケ演奏端末３１に送信する（Ｓ１１−３）。
【００４５】
カラオケ演奏端末３１では、利用者ＩＤ「Ａ」に関連付けられた被リクエスト曲目を受信した場合に、被リクエスト曲目特定手段５１が、図８（Ｂ）に示すように、送信されてきた被リクエスト曲目を利用者ＩＤ「Ａ」に関連付けて、利用者「Ｂ」からのリクエストとしてＲＡＭ４４における利用者別情報記憶部５４の被リクエスト曲目５４Ａに表示可能に記憶する（Ｓ１３−７）。
【００４６】
例えば、利用者「Ａ」が自己のパーソナル曲目リストのタブ表示でリクエストされた被リクエスト曲目を参照表示させると、図１０に示すように、利用者「Ｂ」よりの被リクエスト曲目が表示され、選曲手段３８Ｂにより選曲することによってＲＡＭ４４の予約待ち行列５５に登録される。そして、予約表示要求に応じて、図１１に示すように、曲目、選曲者、リクエスト者が表示されるものである。
【００４７】
また、ホスト装置１１では、被リクエスト曲抽出手段２４が利用者ＩＤ（＊＊＊＊＊＊＊Ａ）の利用者情報中のパーソナル曲目ファイルにおけるリクエストする曲目に、利用者「Ｂ」に対するものがあれば、図９（Ａ）に示すように、利用者「Ｂ」に対する利用者「Ａ」からの被リクエスト曲を抽出し、利用者ＩＤ「Ｂ」に関連付けて当該被リクエスト曲目をカラオケ演奏端末３１に送信する（Ｓ１１−４）。
【００４８】
カラオケ演奏端末３１では、利用者ＩＤ「Ｂ」に関連付けられた被リクエスト曲目を受信した場合に、被リクエスト曲目特定手段５１が、図９（Ｂ）に示すように、送信されてきた被リクエスト曲目を利用者ＩＤ「Ｂ」に関連付けて、利用者「Ａ」からのリクエストとしてＲＡＭ４４における利用者別情報記憶部５４の被リクエスト曲目５４Ａに表示可能に記憶するものである（Ｓ１３−８）。
【００４９】
このように、カラオケ演奏端末３１に一連でログインした他の利用者情報に、予め登録した当該他の利用者に対して歌唱してもらいたい楽曲を被リクエスト曲目として表示可能に記憶させることから、当該他の利用者に対するリクエスト曲を正確かつ容易に報知させることができるものである。
【００５０】
次に、図１２〜図１５に、リクエスト報知曲の他の特定処理説明図を示す。図１２〜図１５は、上記実施形態における利用者「Ｂ」のリクエスト曲目に利用者「Ａ」に対するものが含まれた場合のみを説明するが、利用者「Ａ」のリクエスト曲目に利用者「Ｂ」に対するものが含まれた場合や、一連でログインした他の利用者「Ｃ」、利用者「Ｄ」等が含まれる場合も同様である。
【００５１】
すなわち、図１２において、被リクエスト曲目特定手段５１は、ホスト装置１１における被リクエスト曲抽出手段２４が抽出した利用者「Ｂ」の利用者「Ａ」に対するパーソナル曲目ファイル中の被リクエスト曲目のうち（図１２（Ａ））、利用者ＩＤ「Ａ」のパーソナル曲目ファイル中の歌唱履歴の楽曲ＩＤに含まれているもののみを特定してＲＡＭ４４における利用者別情報記憶部５４の被リクエスト曲目５４Ａに表示可能に記憶する（図１２（Ｂ））。
【００５２】
また、図１３において、被リクエスト曲目特定手段５１は、ホスト装置１１における被リクエスト曲抽出手段２４が抽出した利用者「Ｂ」の利用者「Ａ」に対するパーソナル曲目ファイル中の被リクエスト曲目のうち（図１３（Ａ））、利用者ＩＤ「Ａ」のパーソナル曲目ファイル中の歌唱履歴の楽曲ＩＤの中の、歌唱採点が所定採点以上（例えば、８５点以上）のもののみを特定してＲＡＭ４４における利用者別情報記憶部５４の被リクエスト曲目５４Ａに表示可能に記憶する（図１３（Ｂ））。
【００５３】
さらに、図１４において、被リクエスト曲目特定手段５１は、ホスト装置１１における被リクエスト曲抽出手段２４が抽出した利用者「Ｂ」の利用者「Ａ」に対するパーソナル曲目ファイル中の被リクエスト曲目のうち（図１４（Ａ））、利用者ＩＤ「Ａ」のパーソナル曲目ファイル中の歌唱履歴の楽曲ＩＤの中の、歌唱度数（歌唱回数であり、所定期間の歌唱頻度を含む）が所定度数以上（例えば、２００回以上）のもののみを特定してＲＡＭ４４における利用者別情報記憶部５４の被リクエスト曲目５４Ａに表示可能に記憶する（図１４（Ｂ））。
【００５４】
なお、図示しないが、被リクエスト曲目特定手段５１は、ホスト装置１１における被リクエスト曲抽出手段２４が抽出した利用者「Ｂ」の利用者「Ａ」に対するパーソナル曲目ファイル中の被リクエスト曲目のうち、利用者ＩＤ「Ａ」のパーソナル曲目ファイル中の歌唱履歴の楽曲ＩＤの中の、歌唱採点が所定採点以上（例えば、８５点以上）であり、かつ、歌唱度数（歌唱回数であり、所定期間の歌唱頻度を含む）が所定度数以上（例えば、２００回以上）のもののみを特定してもよい。
【００５５】
さらにまた、図１５において、被リクエスト曲目特定手段５１は、ホスト装置１１における被リクエスト曲抽出手段２４が抽出した利用者「Ｂ」の利用者「Ａ」に対するパーソナル曲目ファイル中の被リクエスト曲目のうち（図１５（Ａ））、利用者ＩＤ「Ａ」のパーソナル曲目ファイルにおける当該利用者「Ａ」が登録した利用者登録曲の楽曲ＩＤのもののみを特定してＲＡＭ４４における利用者別情報記憶部５４の被リクエスト曲目５４Ａに表示可能に記憶する（図１５（Ｂ））。
【００５６】
このように、カラオケ演奏端末３１に一連でログインした他の利用者の関連情報に、予め登録した当該他の利用者に対して歌唱してもらいたい楽曲をリクエスト曲として附帯させることから、当該他の利用者に対するリクエスト曲を正確かつ容易に報知させることができると共に、報知対象の楽曲がリクエストされた他の利用者にとって、歌唱履歴に存在する楽曲であり、歌唱履歴の楽曲のうち上手に歌唱した楽曲であり、歌唱履歴の楽曲のうちよく歌唱する楽曲であることから、歌唱することができ、また得意とする楽曲とさせることができるものである。
【産業上の利用可能性】
【００５７】
本発明のリクエスト曲報知機能を備えるカラオケシステムは、カラオケの基本的機能を備えるカラオケ装置の分野に利用可能である。
【図面の簡単な説明】
【００５８】
【図１】本発明に係るカラオケシステムの系統構成図である。
【図２】図１のホスト装置の利用者ＤＢに登録されている利用者情報の概念説明図である。
【図３】本発明のカラオケシステムに係るカラオケ演奏端末のブロック構成図である
【図４】図３のカラオケ演奏端末における利用者情報の表示形態の説明図（１）である。
【図５】図３のカラオケ演奏端末における利用者情報の表示形態の説明図（２）である。
【図６】図３のカラオケ演奏端末におけるリクエスト曲登録の説明図である。
【図７】本発明におけるリクエスト報知曲の特定処理フローチャートである。
【図８】図７におけるリクエスト報知曲の特定処理説明図（１）である。
【図９】図７におけるリクエスト報知曲の特定処理説明図（２）である。
【図１０】図３のカラオケ演奏端末における利用者情報のリクエストされた被リクエスト曲目の表示形態の説明図である。
【図１１】図３のカラオケ演奏端末における予約待ち行列の概念説明図である。
【図１２】リクエスト報知曲の他の特定処理説明図（１）である。
【図１３】リクエスト報知曲の他の特定処理説明図（２）である。
【図１４】リクエスト報知曲の他の特定処理説明図（３）である。
【図１５】リクエスト報知曲の他の特定処理説明図（４）である。
【符号の説明】
【００５９】
１１            ホスト装置
１３            カラオケ演奏端末
２４            被リクエスト曲抽出手段
２５            利用者ＤＢ
３１            カラオケ演奏装置
３６            遠隔入出力端末
３８Ａ          パーソナル曲目登録手段
３８Ｂ          選曲手段
３９            利用者ＩＤ取得部
４９            採点処理手段
５０            利用者情報取得手段
５１            被リクエスト曲目特定手段
５３            演奏ログ処理手段
５４            利用者別情報記憶部
５４Ａ          被リクエスト曲目
５５            予約待ち行列
【図１】
0005014028.tif 000002
【図２】
0005014028.tif 000003
【図３】
0005014028.tif 000004
【図４】
0005014028.tif 000005
【図５】
0005014028.tif 000006
【図６】
0005014028.tif 000007
【図７】
0005014028.tif 000008
【図８】
0005014028.tif 000009
【図９】
0005014028.tif 000010
【図１０】
0005014028.tif 000011
【図１１】
0005014028.tif 000012
【図１２】
0005014028.tif 000013
【図１３】
0005014028.tif 000014
【図１４】
0005014028.tif 000015
【図１５】
0005014028.tif 000016